(57)【特許請求の範囲】
【請求項１】
液透過性のトップシートと、液不透過性のバックシートと、これらトップシートとバックシートとの間に配置される吸収体と、この吸収体の長手方向に沿って配置され、かつその幅方向外側の側緑部が前記トップシートに接合される一対のポケットシートとを具えた吸収性物品であって、
前記一対のポケットシートは、幅方向内側の側縁部を長手方向に沿って相互に重ね合わせた状態でその長手方向両端部が前記吸収体の長手方向両端部に接合され、
前記ポケットシートの幅方向に沿う中央部において、前記ポケットシートをその幅方向外側に折り返して接合した接合部を設け、
これによって前記吸収体および前記一対のポケットシートの長手方向一端側の接合部分から他端側の接合部分に至る直線距離を、前記吸収体および前記一対のポケットシートの長手方向一端側の接合部分から他端側の接合部分に至る前記吸収体の長さよりも短く設定し、かつ前記一対のポケットシートの長手方向一端側の接合部分から他端側の接合部分に至る前記一対のポケットシートの幅方向内側の側縁部を相互に離間させて開口部を形成したことを特徴とする吸収性物品。
【請求項２】
前記一対のポケットシートの幅方向内側の側縁部に沿って弾性部材を配置したことを特徴とする請求項１に記載の吸収性物品。
【請求項３】
前記一対のポケットシートは、それぞれ伸縮性部材にて形成されていることを特徴とする請求項１に記載の吸収性物品。
【請求項４】
前記一対のポケットシートの長手方向両端部に重ね合わされる補助シートをさらに具えたことを特徴とする請求項１から請求項３の何れかに記載の吸収性物品。
【発明の詳細な説明】
【０００１】
【発明の属する技術分野】
本発明は、あらゆる位置からの尿や排泄物の漏れを防止し得る吸収性物品に関する。
【０００２】
【従来の技術】
従来、尿、経血や便等の排泄物を処理するための使い捨て吸収性物品において、吸収体の吸収速度以上に排泄物が排出された場合や、便など粘性が高く吸収されにくいものが排泄された場合、吸収体がこれを吸収できず、吸収性物品の中央部または背腹部から漏れてしまうことがあった。
【０００３】
これらの漏れを解消するため、吸収性物品の長手方向両端部に伸縮性のあるバリアーカフスを配置したものが特公平６−９３９０１号公報で提案されている。この吸収性物品は、吸収体の側部から立ち上がる、いわゆる立体ギャザーを有し、この立体ギャザーによって排泄物の漏れを防止している。
【０００４】
また、特開昭６４−２６７０１号公報には、吸収性物品の背腹部からの漏れを解消するため、背腹部にフラップを設けた構造が開示されている。
【０００５】
さらに、特開平５−３０５１０９号公報, 特開平５−２７７１４９号公報, 特開平６−２１６２３号公報, 実開平６−１１７２３号公報, 特開平５−２８５１６８号公報には、吸収性物品の中央部および背腹部両方からの漏れを防止するため、吸収性物品の上部に開口部を有する第二トップシートを配置したものが開示されている。この吸収性物品は、いわゆるポケット構造を有し、第一トップシートに排泄された排泄物が外に漏れ出さないように、吸収体から立ち上がる一体型の第二トップシートがあらゆる方向に対するバリヤーの役目を果たしている。
【０００６】
一方、特開平３−５９号公報には、立体ギャザーの一部を吸収体の側部に接着することにより、立体ギャザーを確実に立ち上がらせるようにした構造が開示されている。この吸収性物品の立体ギャザーは、その自由縁に配置された弾性体の伸縮によってのみならず、立体ギャザーと吸収体との長手方向の寸法の差によっても吸収体から立ち上がり、吸収性物品の長手方向中央部からの漏れを防止している。
【０００７】
【発明が解決しようとする課題】
特公平６−９３９０１号公報に開示されたものは、吸収性物品の背腹部からの漏れを防止することができない。また、着用者の姿勢によっては吸収性物品の立体ギャザーがつぶれて吸収体から立ち上がらず、漏れを防止できなくなる不具合もある。
【０００８】
また、特開昭６４−２６７０１号公報に開示されたものは、フラップが吸収性物品の背腹部からの漏れ防止にしか効果がなく、その中央部からの漏れを防止することができない。しかも、着用者の姿勢によってはフラップがつぶれてしまい、排泄物がフラップを越えて漏れる虞があった。
【０００９】
さらに、特開平５−３０５１０９号公報、特開平５−２７７１４９号公報、特開平６−２１６２３号公報、実開平６−１１７２３号公報、特開平５−２８５１６８号公報に開示されたものでは、第二トップシートの立ち上がりを良くするため、ポケット全周に亙って弾性体を配置することが望ましいが、この弾性体を曲線状に配置した場合には、吸収性物品の製造速度が低下してしまい、その生産コストが高くなってしまう。一方、吸収性物品の長手方向にのみ弾性体を配置した場合には、その製造が容易となる反面、背腹部の第二トップシートの立ち上がりを充分な高さにすることが困難となる。また、何れの場合も、第二トップシートのポケット部分のシートの切断および除去に伴う製造速度の低下を招来する。さらに、弾性体もしくはシートの収縮性によってのみ第二トップシートを立ち上がらせるようにした構造の場合、ポケットを形成する第二トップシートが着用者の姿勢によってつぶされて立ち上がらず、排泄物のバリヤーの役目を果たすことができなくなるという不具合もある。
【００１０】
一方、特開平３−５９号公報に開示されたものは、吸収性物品の背腹部からの排泄物の漏れを防止することができない。
【００１１】
【発明の目的】
本発明の目的は、吸収体からフラップを確実に立ち上がるようにし、あらゆる位置からの漏れを防止し得る吸収性物品を提供することにある。
【００１２】
【課題を解決するための手段】
本発明による吸収性物品は、液透過性のトップシートと、液不透過性のバックシートと、これらトップシートとバックシートとの間に配置される吸収体と、この吸収体の長手方向に沿って配置され、かつその幅方向外側の側緑部が前記トップシートに接合される一対のポケットシートとを具えた吸収性物品であって、前記一対のポケットシートは、幅方向内側の側縁部を長手方向に沿って相互に重ね合わせた状態でその長手方向両端部が前記吸収体の長手方向両端部に接合され、前記ポケットシートの幅方向に沿う中央部において、前記ポケットシートをその幅方向外側に折り返して接合した接合部を設け、これによって前記吸収体および前記一対のポケットシートの長手方向一端側の接合部分から他端側の接合部分に至る直線距離を、前記吸収体および前記一対のポケットシートの長手方向一端側の接合部分から他端側の接合部分に至る前記吸収体の長さよりも短く設定し、かつ前記一対のポケットシートの長手方向一端側の接合部分から他端側の接合部分に至る前記一対のポケットシートの幅方向内側の側縁部を相互に離間させて開口部を形成したことを特徴とするものである。
【００１３】
本発明によると、一対のポケットシートの幅方向外側の側縁が長手方向に沿ってトップシートに接合され、さらに幅方向内側の側縁部が吸収体の長手方向両端部で重ね合わされた状態でトップシートに接合され、しかもその長手方向寸法が吸収体の長手方向寸法よりも短く設定されているため、吸収体はポケットシートで囲まれた状態となり、これらポケットシートの幅方向内側の側縁部が相互に離間して開口部を形成し、さらに吸収体の周縁部から立ち上がって堰を形成してポケット構造を形成する。
【００１４】
従って、着用者の姿勢に拘らず、着用者の排泄物が開口部から吸収体に受け止められ、上述した堰によって股間部のみならず、背腹部からの排泄物の漏れも確実に阻止される。
【００１５】
【発明の実施の形態】
本発明による吸収性物品において、接合部は、トップシートおよびポケットシートの長手方向に沿ったこれらの接合領域と非接合領域との境界線、すなわちポケットシートがトップシート表面から離間する場合の起立点よりも内側のポケットシート上に形成してもよく、また、起立点の位置に形成してもよく、さらに起立点より外側に形成することも可能である。このように、接合部を設けることによって、吸収体の周縁部からのポケットシートの幅方向内側の側縁部の立ち上がり傾向がより強められる。
【００１６】
また、一対のポケットシートの幅方向内側の側縁部に沿って伸長状態で弾性部材を配置したり、あるいは一対のポケットシートを伸縮性部材にて形成することも有効である。この場合も同様に、弾性部材や伸縮性部材の縮む力を利用して吸収体の周縁部からのポケットシートの幅方向内側の側縁部の立ち上がり傾向がより強められる。
【００１７】
一方、一対のポケットシートの長手方向両端部に重ね合わされる補助シートをさらに設けるようにしてもよい。
【００１８】
【実施例】
本発明による吸収性物品を展開型おむつに応用した一実施例について、図１〜図１０を参照しながら詳細に説明するが、本発明はかかる展開型おむつに限定されるものではない。
【００１９】
本実施例の外観を表す図１およびその平面形状を表す図２およびその III−III 矢視断面構造を表す図３に示すように、本実施例の展開型おむつ１１は、液不透過性のバックシート１３と、このバックシート１３の上に重ね合わされる液透過性のトップシート１２と、これらトップシート１２とバックシート１３との間に配置される吸収体１４と、この吸収体１４の幅方向両側に配置され、その幅方向外側の側縁部と長手方向両端部がトップシート１２に接合される一対のポケットシート１５R , １５L と、前記吸収体１４の幅方向両側縁から外側へ延出するトップシート１２とバックシート１３とで形成される一対のサイドフラップ部２１, ２２と、吸収体１４の長手方向一端側から延出するトップシート１２とバックシート１３との間に挟持され、着用時にウエスト周りのフィット性を良好にするウエストギャザー１７を形成するためのウエスト周り弾性部材１８と、吸収体１４の幅方向両側縁の外側のサイドフラップ部２１, ２２を形成するトップシート１２とバックシート１３との間に挟持され、着用時の脚周りのフィット性を良好にするレッグギャザー１９を形成するための脚周り弾性部材２０と、一端側のサイドフラップ部２１の幅方向両側縁に取り付けられ、他端側のサイドフラップ部２２に重ね合わせてこれらをつなぐための左右一対の粘着テープ２３とを有する。
【００２０】
この場合、一対のポケットシート１５R , １５L の幅方向外側の側縁部近傍の幅方向に沿う中央部に形成された接合部２５R , ２５L によって、一対のポケットシート１５R , １５L の幅方向内側の側縁部が相互に離間して開口部２８が形成されている。
【００２１】
また、ウエスト周り弾性部材１８は、吸収体１４の長手方向一端側にのみ配置され、さらに、脚周り弾性部材２０は吸収体１４の両側縁の外側の長手方向に沿っておむつの幅方向に沿う中央部にのみ設けられており、また、サイドフラップ部２１, ２２の幅方向両側縁には、着用時に脚周り開口部を形成するための一対の繰り抜き部１６が形成されている。
【００２２】
上述したトップシート１２は、親水性あるいは疎水性の不織布, 織布, 多孔性プラスチックフィルムなどで形成され、ポリプロピレン, ポリエチレン, ポリエステル, ナイロンなどの繊維や、あるいはポリエステル, ポリプロピレン, ポリエチレン, ナイロンなどを２種類以上組み合わせた複合繊維などで構成することができる。特に、ポリエステル／ポリエステル, ポリエステル／ポリエチレン, ポリプロピレン／ポリエチレンの複合繊維が強度の面から好ましいけれども、これらに限定されるものではない。このトップシート１２を単一のシートで構成する必要はなく、吸収体１４に重ね合わされるセンタートップシートと、サイドフラップ部２１, ２２を形成する一対のサイドトップシートとでトップシート１２を構成するようにしてもよい。この場合、センタートップシートとサイドトップシートとを別の素材を使ってもよいが、同一の素材で構成することも可能である。
【００２３】
前記バックシート１３は、ポリエチレンなどの液不透過性フィルムで形成したり、液不透過性フィルムと不織布あるいは織布とを貼り合わせたもので形成することができ、通気性もしくは透湿性を持った材料を採用することが好ましい。
【００２４】
吸収体１４は、すでに周知の吸収性物品に使用される公知の吸収性材料で形成される。すなわち、綿状パルプやレーヨンなどの吸収性繊維をマット状にしてＳＡＰを均一に分散あるいは層状に配設し、これを親水性シートでくるんだものや、ＳＡＰを親水性シートでくるんだものを採用することができる。綿状パルプを有する吸収体１４の場合には、綿状パルプに対して３〜６０重量％の熱融着性物質を混合し、これらを熱圧着するようにしてもよい。
【００２５】
上述した綿状パルプは、化学パルプシートや機械パルプシートを粉砕機で解繊することにより得られる５mm以下の繊維長のものが好ましい。また、パルプ原料としては、針葉樹に限らず、広葉樹, わら, 竹, ケナフの他、古紙パルプなども使用することができる。この綿状パルプの使用量は、吸収体１４の構造、例えば、綿状パルプを単独で用いるか、これを複数積層して用いるか、あるいはＳＡＰなどの他の材料を併用するかなどによって異なるが、一般的には５０〜４００g/m2が適当である。
【００２６】
また、ＳＡＰとしては、デンプン系, セルロース系, 合成ポリマー系のものを採用することができる。具体的には、デンプン−アクリル酸（塩）グラフト共重合体, デンプン−アクリル酸エチルグラフト共重合体のケン化物, デンプン−メタクりル酸メチルグラフト共重合体のケン化物, デンプン−アクリロニトリルグラフト共重合体のケン化物, デンプン−アクリルアミドグラフト共重合体のケン化物, デンプン−アクリロニトリル−２−アクリルアミド−２−メチルプロパンスルホン酸グラフト共重合体のケン化物, アクリル酸（塩）重合体, アクリル酸で架橋されたポリエチレンオキシド, ナトリウムカルボキシメチルセルローズの架橋物, ポリビニールアルコール−無水マレイン酸反応物の架橋物などである。特に、ポリアクリル酸ナトリウム系のものが、その自重の２０倍以上の尿や体液および水を吸収することから、最も適当である。ＳＡＰの使用量は、乾燥状態の綿状パルプに対して全重量の１０〜５００重量％、好ましくは１５〜３００重量％であり、綿状パルプ中に実質的に均一に分布していることが有効である。この吸収体１４を圧縮成形する場合、密度が均一となるように表面を平滑に成形したり、あるいは尿や体液を縦方向および斜め方向に導くエンボス加工をその表面に施し、密度が部分的に異なるようにしてもよい。
【００２７】
さらに、上述した親水性シートとしては、ティシュ, 吸収紙, 親水性不織布などを採用することができる。
【００２８】
なお、トップシート１２と吸収体１４との間に親水性で液透過性の不織布, 織布, 多孔性プラスチック, 綿状パルプなどで形成した拡散層を設けてもよい。この拡散層を設けることによって、尿や体液などの吸収速度を低下させることなく、これらの漏れを防止することができる。この拡散層は、ポリプロピレン, ポリエチレン, ポリエステル, レーヨン, パルプなどの繊維で構成したり、あるいはこれらの複合繊維で構成することが可能であり、接着剤などを用いて吸収体１４に接着固定される。
【００２９】
本実施例において、前記一対のポケットシート１５R , １５L は、その長手方向両端部が吸収体１４の長手方向に沿う中央部で相互に重ね合わされた状態でトップシート１２に接合され、さらに各ポケットシート１５R , １５L の幅方向外側の側縁部分もトップシート１２に接合されている。一対のポケットシート１５R , １５L の重ね合わせの幅寸法は２mm以上に設定することが好ましく、この重ね合わせた部分を相互に接合するようにしてもよい。
【００３０】
また、ポケットシート１５R , １５L の幅方向に沿う中央部、つまり着用者の股間部に対応する部分には、長手方向に沿って延びる接合部２５R , ２５L がそれぞれ形成されている。これら接合部２５R , ２５L は、ポケットシート１５R , １５L の幅方向内側の側縁部側、すなわち自由端部２６側をその幅方向外側にそれぞれ折り返し、相互に重なり合う表面の一部を長手方向に沿って線状に接合することによって形成される。これにより、一対のポケットシート１５R , １５L の幅方向に沿う中央部の自由端部２６が相互に引き離され、さらにトップシート１２の表面からも離間して開口部２８が形成される。この開口部２８は、排泄物が開口部２８を通して吸収体１４の上面に排泄されるだけの大きさであれば良く、その形も特に限定されない。本実施例では、吸収体１４の中央部に開口部２８が形成されるようにしたが、その長手方向の何れか一方に偏って形成するようにしてもよい。
【００３１】
このような開口部２８を形成する方法として、接合部２５R , ２５L を形成する前の外観を表す図４およびそのＶ−Ｖ矢視断面構造を表す図５に示すように、各ポケットシート１５R , １５L の幅方向に沿う中央部にその幅方向に並ぶ一対の接着部２５RO, ２５RI, ２５LO, ２５LIを設け、これら接着部２５RO, ２５RI, ２５LO, ２５LIを相互に重ね合わせて接合し、上述した接合部２５R , ２５L を形成することにより開口部２８を形成することができる。
【００３２】
すなわち、ポケットシート１５R , １５L に接合部２５R , ２５L を形成することにより、ポケットシート１５R , １５L の長手方向一端側のトップシート１２との接合部分からその長手方向他端側のトップシート１２との接合部分に至る直線距離は、ポケットシート１５R , １５L の長手方向一端側のトップシート１２との接合部分からその長手方向他端側のトップシート１２との接合部分に至る吸収体１４の長さよりも短く設定されるため、吸収体１４は、その長手方向一端部と他端部との距離が短くなるような円弧状に湾曲する結果、ポケットシート１５R , １５L の自由端部２６が吸収体１４から立ち上がった状態となる。さらに、これらポケットシート１５R , １５L の自由端部２６に、弾性部材２９を伸長状態で装着することにより、吸収体１４の長手方向一端部と他端部との距離が短くなるように、吸収体１４が円弧状に付勢される結果、ポケットシート１５R , １５L の自由端部２６を吸収体１４から急峻に立ち上げることができる。
【００３３】
本実施例では、折り返し部２７に空隙を形成するようにしてあるが、この折り返し部２７全域を接合してこれをポケットシート１５R , １５L の自由端部２６側か、あるいはトップシート１２側に接合するようにしてもよい。
【００３４】
接合部２５R , ２５L から立ち上がるポケットシート１５R , １５L の自由端部２６の堰の高さは、５mm〜１００mmの範囲内、好ましくは２０mm〜６０mmの範囲で設定することが好ましい。堰の高さは、着用者の体型や吸収性物品の種類によっても異なるが、着用者の股間部での漏れを防止するための高さが必要である。堰の高さが５mm未満の場合には、股間部での漏れを防止することが困難となり、逆に１００mmより高くなると着用者の装着方法や姿勢によっては、堰の部分が吸収体１４と着用者との間に介在してしまい、吸収体１４の機能を発揮させることができなくなる虞がある。
【００３５】
本発明に使用されるポケットシート１５R , １５L は、親水性あるいは疎水性の不織布, 織布, 多孔性プラスチックフィルムなどの他、液不透過性のフィルムやこれらを貼り合わせたもので形成することができる。また、親水性の不織布や織布などは、このままでも使用することができるが、撥水処理を施すことがより好ましく、これによって防漏効果を高めることができる。不織布, 織布を構成する繊維としては、ポリプロピレン, ポリエチレン, ポリエステル, ナイロンなどの繊維や、あるいはポリエステル, ポリプロピレン, ポリエチレン, ナイロンなどを２種類以上組み合わせた複合繊維などで構成することができる。特に、ポリエステル／ポリエステル, ポリエステル／ポリエチレン, ポリプロピレン／ポリエチレンの複合繊維が強度の面から好ましいけれども、これらに限定されるものではない。また、伸縮性の材料を使用することも可能である。
【００３６】
さらに、前述のトップシート１２（センタートップシートおよび／またはサイドトップシートを含む）として広幅のものを用い、吸収体１４の両側縁から延出する部分を吸収体１４上に折り返し、この折り返し部分でポケットシート１５R , １５L を形成してもよい。この場合も、折り返し部分に撥水処理を施すことにより、防漏効果をより高めることができる。
【００３７】
上述したウエスト周り弾性部材１８, 脚周り弾性部材２０, 弾性部材２９としては、天然ゴム, 合成ゴム, ウレタンなどを糸状, ひも状, テープ状に成形したのものを用い、澱粉系, ＣＭＣ（カルボキシメチルセルロース）などの水溶性の接着剤で固定するが、熱融着や超音波溶着などで固定するようにしてもよい。
【００３８】
なお、立体ギャザーを吸収体１４の長手方向に沿って配置することも可能である。この場合、立体ギャザーを接合部２５R , ２５L の幅方向外側および内側の両方に設けたり、あるいは何れか一方に設けることができる。
【００３９】
上述した接合部２５R , ２５L は、この展開型おむつ１１の製造中に効率よく製造することも可能であり、このような展開型おむつ１１の製造手順の一例を図６〜図８に示す。すなわち、二点鎖線で示す切断線Ｄに沿って切断される図４に示した状態の展開型おむつの連続体１１Ｃに対し、ポケットシートの連続体１５Ｃに形成される接着部２５RO, ２５LO, ２５RI, ２５LIの何れか一方（図示例では幅方向外側の接着部２５RO, ２５LO）にのみ接着剤を塗布し（図６参照）、一方のポケットシートの連続体１５ＣR の接着部２５RO, ２５RIから等距離に設定した図６中、一点鎖線で示す折り返し線ＬR に沿って展開型おむつの連続体１１Ｃの片側（図中、右側）を谷折りで折り重ねる。これによって、一方のポケットシートの連続体１５ＣR の接合部２５R が自動的に形成される（図７参照）。
【００４０】
同様にして、展開型おむつの連続体１１Ｃの他の片側（図中、左側）を他方のポケットシートの連続体１５ＣL の接着部２５LO, ２５LIから等距離に設定した図７中、一点鎖線で示す折り返し線ＬL に沿って谷折りで折り重ね、他方のポケットシートの連続体１５ＣL の接合部２５L を自動的に形成し、図８に示す如き３つ折り状態の展開型おむつの連続体１１Ｃとし、これを切断線Ｄに沿って切断して展開型おむつ１１を得た後、さらにこれをその長手方向に２つ折りにして梱包し、出荷する。
【００４１】
上述した実施例では、トップシート１２とポケットシート１５R , １５L との接合領域に上述した接合部２５R , ２５L を形成したが、この接合部２５R , ２５L を脚周り弾性部材２０の上やトップシート１２とポケットシート１５R , １５L との接合領域よりも内側のポケットシート１５R , １５L の自由端部２６に形成することも可能である。
【００４２】
このような本発明による他の実施例の断面構造を図９に示すが、先の実施例と同一機能の要素には、これと同一符号を記すに止め、重複する説明は省略するものとする。すなわち、図９は、先の実施例における図３と対応した断面図であり、本実施例における接合部２５R , ２５L （図では一方の接合部２５R のみ示している）は、トップシート１２とポケットシート１５R , １５L との接合領域よりも内側に形成されているが、この接合部２５R , ２５L を上記接合領域よりも外側に設けるようにしてもよい。
【００４３】
なお、一対のポケットシート１５R , １５L の長手方向両端部の重ね合わせ代を充分に取ることができない場合、補助シートをポケットシートR , １５L の長手方向両端部に重ね合わせることも有効である。このような本発明による別な実施例の外観を図１０に示すが、先の実施例と同一機能の要素には、これと同一符号を記すに止め、重複する説明は省略するものとする。
【００４４】
すなわち、ポケットシート１５R , １５L の長手方向両端部には、補助シート３０が重ね合わされ、これらと一体的に接合されている。このように、補助シート３０を設けたことにより、展開型おむつ１１の背腹部からの漏れをより確実に防止することができる。
【００４５】
補助シート３０は、ポケットシート１５R , １５L と同一材質のものを使用することが可能であるが、別な材料を使用してもよい。この場合、伸縮性材料あるいは非伸縮性材料であってもよい。伸縮性材料を使用した場合には、これを伸長状態で配設することにより、ウエスト周り弾性部材１８を省略することも可能である。
【００４６】
また、吸収体１４の長手方向に沿った補助シート３０の長さは、吸収性物品の種類や大きさによっても異なるが、一般的には１０mm〜２００mmの範囲内に設定され、好ましくは３０mm〜１５０mmの範囲である。補助シート３０の長さが１０mm未満になると、背腹部からの漏れの防止効果が発揮されなくなり、逆に２００mmよりも大きくなると、開口部２８が塞がれて吸収体１４を覆ってしまい、吸収体１４の吸収性能を阻害してしまう。
【００４７】
なお、この補助シート３０をサイドフラップ部２１, ２２の全域に亙って配設するようにしてよい。本実施例では、補助シート３０をポケットシート１５R , １５L の上に重ねるようにしたが、トップシート１２とポケットシート１５R , １５L との間に介装するようにしてもよく、これを吸収体１４の長手方向何れか一方の端部にのみ設けることも可能である。トップシート１２とポケットシート１５R , １５L との間に補助シート３０を介装した場合でも、補助シート３０をポケットシート１５R , １５L に接合し、トップシート１２、つまり吸収体１４と補助シート３０との間に隙間が形成できるようにすることが望ましい。図面では配置する補助シート３０は吸収体の幅方向に対して一部のみに配置されているが、全長にわたって配置されていてもよい。
【００４８】
【発明の効果】
本発明の吸収性物品によると、一対のポケットシートの幅方向内側の側縁部を長手方向に沿って相互に重ね合わせた状態でこれらの長手方向両端部を吸収体の長手方向両端部に接合し、ポケットシートの幅方向に沿う中央部において、ポケットシートをその幅方向外側に折り返して接合した接合部を設け、これによって吸収体および一対のポケットシートの長手方向一端側の接合部分から他端側の接合部分に至る直線距離を、吸収体および一対のポケットシートの長手方向一端側の接合部分から他端側の接合部分に至る吸収体の長さよりも短く設定し、かつ一対のポケットシートの長手方向一端側の接合部分から他端側の接合部分に至る一対のポケットシートの幅方向内側の側緑部を相互に離間させて開口部を形成したので、これらポケットシートの幅方向内側の側緑部が吸収体の周縁部から立ち上がる堰を形成し、吸収体がポケットシートで囲まれたポケット構造を得ることができる。この結果、着用者の姿勢に拘らず、着用者の排泄物が開口部から吸収体に受け止められ、上述した堰によって股間部のみならず、背腹部からの排泄物の漏れも確実に阻止される。
【００５０】
一対のポケットシートの幅方向内側の側縁部に沿って伸長状態で弾性部材を配置したり、あるいは一対のポケットシートを伸縮性部材にて形成した場合には、弾性部材や伸縮性部材の縮む力を利用して吸収体の周縁部からのポケットシートの幅方向内側の側縁部の立ち上がり傾向がより強められる結果、堰を確実に形成することができる。
【００５１】
さらに、一対のポケットシートの長手方向両端部に重ね合わされる補助シートを設けた場合には、吸収体の長手方向両端部からの漏れをより確実に防止することができる。
【図面の簡単な説明】
【図１】本発明による吸収性物品を展開型おむつに応用した一実施例の外観を表す斜視図である。
【図２】図１に示した実施例の平面図である。
【図３】図２中の III−III 矢視断面図である。
【図４】図１に示した実施例におけるポケットシートの接合前の状態を表す平面図である。
【図５】図４中のＶ−Ｖ矢視断面図である。
【図６】図７および図８と共に図１に示した実施例の製造手順を表す概念図である。
【図７】図６および図８と共に図１に示した実施例の製造手順を表す概念図である。
【図８】図６および図７と共に図１に示した実施例の製造手順を表す概念図である。
【図９】本発明による吸収性物品の他の実施例の主要部の構造を表す図３同様の断面図である。
【図１０】本発明による吸収性物品を展開型おむつに応用した別な実施例の外観を表す斜視図である。
【符号の説明】
１１  展開型おむつ
１１Ｃ  展開型おむつの連続体
１２  トップシート
１３  バックシート
１４  吸収体
１５R , １５L   ポケットシート
１５ＣR , １５ＣL   ポケットシートの連続体
１６  繰り抜き部
１７  ウエストギャザー
１８  ウエスト周り弾性部材
１９  レッグギャザー
２０  脚周り弾性部材
２１, ２２  サイドフラップ部
２３  粘着テープ
２４  ベーステープ
２５R , ２５L   接合部
２５RO, ２５RI, ２５LO, ２５LI  接着部
２６  自由端部
２７  折り返し部
２８  開口部
２９  弾性部材
３０  補助シート
Ｄ  切断線
ＬR , ＬL   折り返し線
【図１】
0003702563.tif 000002
【図２】
0003702563.tif 000003
【図３】
0003702563.tif 000004
【図４】
0003702563.tif 000005
【図５】
0003702563.tif 000006
【図６】
0003702563.tif 000007
【図７】
0003702563.tif 000008
【図８】
0003702563.tif 000009
【図９】
0003702563.tif 000010
【図１０】
0003702563.tif 000011